(57)【要約】【課題】巻尺の利便性を向上させ、また、計測対象物の寸法を正確に計測できる巻尺を提供する。【解決手段】巻尺５０は、帯状の帯尺５１と、帯尺５１と直交するように帯尺５１の先端に取り付けられたフック板４０と、帯尺５１を巻き込んで収納するとともに、帯尺５１を出し入れする出し入れ口５５を有する巻尺ケース５３と、出し入れ口５５から突出した当接部８０であり、帯尺５１が巻尺ケース５３に巻き戻された状態でフック板４０と当接し、帯尺５１が引き出された状態で、計測のために計測対象物に当接させる当接部８０とを備えている。【選択図】図１
2013122409.tif 000002
【特許請求の範囲】
【請求項１】
帯状の帯尺と、
帯尺の先端に取り付けられたフック板と、
帯尺を巻き込んで収納するとともに、帯尺を出し入れする出し入れ口を有する巻尺ケースと、
出し入れ口とフック板との間にあり、帯尺が巻尺ケースに巻き戻された状態でフック板と当接し、帯尺が引き出された状態で、計測のために計測対象物に当接する当接部と
を備えたことを特徴とする巻尺。
【請求項２】
当接部は、略Ｔ型をしており、
当接部は、
出し入れ口から帯尺が出される引き出し方向に出し入れ口から突出した前方突出部と、
前方突出部と直交するように前方突出部の先端に設けられた当て板と
を備えたことを特徴とする請求項１記載の巻尺。
【請求項３】
当て板は、帯尺が巻き戻されてきた場合に、フック板と当接し、巻き戻しを終了させ、
フック板と当て板とが当接している場合に、フック板の少なくとも一部の縁は、当て板の端部からはみ出ていることを特徴とする請求項２記載の巻尺。
【請求項４】
帯尺は、長手方向に直交する断面形状が弧状の湾曲形状を有し、
フック板は、帯尺の幅と略同一の幅を有し帯尺が取り付けられた取付縁と、取付縁に対向する引き縁を有する矩形状の板であり、
当て板は、
湾曲形状の帯尺をガイドする凹部を有する凹型板であり、
凹型板は、
帯尺の幅方向の両側部より離れて配置され、帯尺の側部をガイドする一対のガイド部と、
表面でフック板と当接してフック板の引き縁をはみ出させ、裏面で前方突出部を連結した基部と
を有することを特徴とする請求項２又は３記載の巻尺。
【請求項５】
前記巻尺はさらに、
出し入れ口に帯尺が入れられる巻き戻し方向に、巻尺ケースの後方から突出した後方突出部を備えたことを特徴とする請求項１〜４いずれかに記載の巻尺。
【請求項６】
帯状の帯尺と、帯尺と直交するように帯尺の先端に取り付けられたフック板と、帯尺を巻き込んで収納するとともに帯尺を出し入れする出し入れ口を有する巻尺ケースとを有する巻尺に取り付ける当接治具であって、
巻尺ケースに固定される固定部と、
出し入れ口から帯尺が出される引き出し方向に出し入れ口の下部から突出する前方突出部と、
前方突出部と直交するように前方突出部の先端に設けられた当て板と
を備えたことを特徴とする当接治具。
【請求項７】
前記当接治具は、略Ｔ字型をしており、
固定部と前方突出部とは、１枚の板の一部であり、連続していることを特徴とする請求項６記載の当接治具。
【請求項８】
前記１枚の板は、固定部と前方突出部との間に屈曲部を有することを特徴とする請求項７記載の当接治具。
【請求項９】
前記当接治具はさらに、
出し入れ口に帯尺が入れられる巻き戻し方向に、巻尺ケースの下部後方から突出する後方突出部を備えたことを特徴とする請求項６〜８いずれかに記載の当接治具。
【請求項１０】
後方突出部と固定部と前方突出部とは、１枚の板の一部であり、連続していることを特徴とする請求項９記載の当接治具。
【発明の詳細な説明】
【技術分野】
【０００１】
この発明は、巻尺及び巻尺に取り付ける当接治具に関する。
【背景技術】
【０００２】
従来の巻尺は、巻き込んだテープ状の物差しを引き出して計測対象物の寸法を計測し巻き戻すというものである。巻尺を用いて計測対象物の寸法を他の対象物に写し取る場合は、人間が寸法を読み取りその寸法を記憶しなければならない。あるいは、人間が巻尺の計測対象物の寸法目盛を指で押さえたまま他の対象物に寸法を転写しなければならない。
【０００３】
また、内寸法の計測には巻尺のテープ状の物差しを９０度に曲げて計測しなければならず不便で有るとともに内寸法の計測が不正確であった。
【先行技術文献】
【特許文献】
【０００４】
【特許文献１】特開平９−２５７４０２号公報
【特許文献２】特開２００９−１６２７６４号公報
【特許文献３】特開２０１０−６６２６９号公報
【発明の概要】
【発明が解決しようとする課題】
【０００５】
本発明では、利便性を向上させ、また、計測対象物の寸法を正確に計測できる巻尺を提供することを目的とする。
【課題を解決するための手段】
【０００６】
この発明に係る巻尺は、
帯状の帯尺と、
帯尺の先端に取り付けられたフック板と、
帯尺を巻き込んで収納するとともに、帯尺を出し入れする出し入れ口を有する巻尺ケースと、
出し入れ口とフック板との間にあり、帯尺が巻尺ケースに巻き戻された状態でフック板と当接し、帯尺が引き出された状態で、計測のために計測対象物に当接させる当接部と
を備えたことを特徴とする。
【発明の効果】
【０００７】
この発明に係る巻尺は、出し入れ口から突出した当接部により、計測対象物の寸法を正確に計測することができる。
【図面の簡単な説明】
【０００８】
【図１】実施の形態１の巻尺５０を示す図。
【図２】実施の形態１の当接治具９０を示す図。
【図３】実施の形態１の巻尺５０の一部を省略したＡＡ縦断面を示す図。
【図４】実施の形態１の巻尺５０のフック板４０と当て板７０を示す図。
【図５】実施の形態１の巻尺５０の当て板７０と帯尺５１を示す図。
【図６】実施の形態１の巻尺５０の使用方法を示す図。
【図７】実施の形態１の巻尺５０の使用方法を示す図。
【図８】実施の形態１の巻尺５０の使用方法を示す図。
【図９】実施の形態１の巻尺５０の使用方法を示す図。
【図１０】実施の形態２の巻尺５０を示す図。
【図１１】実施の形態２の当接治具９０を示す図。
【図１２】実施の形態２の巻尺５０の一部を省略したＡＡ縦断面を示す図。
【図１３】実施の形態３の巻尺５０を示す図。
【図１４】実施の形態４の巻尺５０を示す図。
【図１５】実施の形態５の当て板７０の取付例を示す図。
【図１６】実施の形態６の窓枠型の当て板７０を示す図。
【図１７】実施の形態６のＣ字型の当て板７０を示す図。
【図１８】実施の形態６のＨ字型の当て板７０を示す図。
【図１９】実施の形態６の前方突出部６１と当て板７０を示す図。
【図２０】実施の形態６の前方突出部６１と当て板７０を示す図。
【発明を実施するための形態】
【０００９】
実施の形態１．
図１は、実施の形態１の巻尺５０を示す図である。
巻尺５０は、コンベックス、スケール、メジャーと呼ばれることもある。
巻尺５０は、巻尺ケース５３を有している。巻尺ケース５３は、帯尺５１を収納している。
巻尺５０は、自動巻き取り式である。
【００１０】
巻尺ケース５３は、出し入れ口５５から帯尺５１を引き出しかつ巻き戻す。
ボタン５４は、オンオフにより帯尺５１の引き出しかつ巻き戻しのロック又はリリースをする。
【００１１】
帯尺５１は、巻尺ケース５３内の図示していない板ばね又はぜんまいにより常時巻き戻しの力がかかっている。ボタン５４のロックにより帯尺５１の引き出し状態が固定される。ボタン５４のリリースにより帯尺５１が巻き戻される。
【００１２】
帯尺５１は鋼製尺（スチールテープ）であり、折り曲げられても直線状に戻ることができる。帯尺５１は、長手方向に対して直交する断面が弧状に湾曲している。帯尺５１は、表面となる湾曲凹面と裏面となる湾曲凸面とを有している。
【００１３】
帯尺５１は、弧状の湾曲凹面に目盛と数字が振られた帯であり、目盛と数字はメートル法や尺貫法のいずれかあるいは両方の目盛と数字が記載されている。目盛は例えば１ｍｍの等間隔な目盛である。
【００１４】
帯尺５１の先端には、舌状のフック板４０が有る。フック板４０は、ほぼ矩形をしており、ステンレス製の板である。フック板４０は取付縁４１により帯尺５１に対して直交して取り付けられている。取付縁４１の反対側には引き縁４２が有る。引き縁４２は、帯尺５１を引き出す際に人間が指をひっかける部分である。
【００１５】
フック板４０の表面４３と裏面４４は、計測対象物に当接する面である。
【００１６】
図２は、当接治具９０を示す図である。
当接治具９０は、胴体６０と当て板７０とを有している。
当接治具９０は、ステンレス製の板をＴ字形にせん断し、当て板７０となる頭部を９０度に折り曲げ加工して製造することができる。
【００１７】
当接治具９０の熱膨張率は、帯尺５１の熱膨張率と同じであることが望ましい。当接治具９０と帯尺５１とは同じあるいは同質の素材であることが望ましい。
【００１８】
胴体６０は、１枚の平板である。胴体６０において前方突出部６１と固定部６２と後方突出部６３とは同一平面にあり連続している。
【００１９】
当接部８０は、前方突出部６１と当て板７０とからなる。当接部８０は出し入れ口５５の下部から帯尺５１の引き出し方向に突出している。
当接部８０の前方突出部６１と当て板７０とは帯尺５１の湾曲凸面側に有る。
前方突出部６１の先端には、当て板７０が有る。当て板７０は、ほぼ凹形をしている。
【００２０】
基部７２は、ガイド部７１を両側に配置し２つのガイド部７１を連結している平板である。
【００２１】
当て板７０は、基部７２の上部（凹部の溝底）において前方突出部６１に対して直交するように折り曲げられている。当て板７０はフック板４０と同一方向（下方向）に折り曲げられている。帯尺５１の湾曲凸面の凸部が、基部７２の上部（凹部の溝底）をスライドする。
【００２２】
ガイド部７１は、当て板７０の両側に立設された平行な１対の板である。ガイド部７１の対向している内側面を帯尺５１の両端がスライドすることにより、ガイド部７１は帯尺５１の左右をガイドしている。
【００２３】
当て板７０の表面７３と裏面７４は、計測対象物に当接する面である。
【００２４】
図３は、実施の形態１の巻尺５０の内部を省略したＡＡ縦断面図である。
図３は、帯尺５１が巻き戻された状態を示している。
【００２５】
巻き戻し状態において、フック板４０は当て板７０に引っかかっている。
すなわち、当て板７０の表面７３はフック板４０の裏面４４と当接しており、巻き戻し状態で、帯尺５１は当接部８０の突出した長さＬだけ引き出された状態になっている。
【００２６】
そして、巻き戻し状態において、基部７２は、帯尺５１を指で引き出すための引き縁４２を下に突出させている。
【００２７】
固定部６２の下面が、巻尺ケース５３の底部の上面に接着固定されている。出し入れ口５５の底辺は、巻尺ケース５３の底部の上面に有る。前方突出部６１は出し入れ口５５の底辺から引き出し方向に突出している。
【００２８】
帯尺５１は出し入れ口５５の上部分から引き出される。
【００２９】
こうして、巻き戻された状態では、前方突出部６１と底板５６と帯尺５１とは平行になる。
【００３０】
巻尺ケース５３の底板５６の厚さ（底板５６の底面から出し入れ口５５の底辺まで高さ）は段差Ｅとなるが、段差Ｅはできるだけ小さいほうがよい。すなわち、底板５６と前方突出部６１とができるだけ同一面になるように配置するのがよい。
【００３１】
後方突出部６３は、巻尺ケース５３の後方からまっすぐに伸びている。
【００３２】
図４は、図１のＢ方向（引き出し方向・巻き戻し方向）からみたフック板４０と当て板７０とを示す図である。
【００３３】
各記号の意味は以下のとおりである。
Ｌ１：当て板７０の幅
Ｌ２：ガイド部７１の間隔
Ｌ３：フック板４０及び帯尺５１の幅（フック板４０の幅は、帯尺５１の幅と同じである。）
Ｌ４：前方突出部６１の幅
Ｍ１：当て板７０の高さ
Ｍ２：前方突出部６１からガイド部７１の頂部（上辺）までの高さ
Ｍ３：基部７２の高さ
Ｎ１：フック板４０の高さ
Ｎ２：取付縁４１の厚さ（帯尺５１の湾曲厚さ、すなわち、弧の高さ）
Ｎ３：フック板４０のフック長さ
Ｎ４：引き縁４２の長さ
【００３４】
各部の大小関係は以下のとおりである。
Ｌ１＞Ｌ２＞Ｌ３＞Ｌ４
Ｍ１＝Ｍ２＋Ｍ３
Ｎ１＝Ｎ２＋Ｎ３
Ｎ４＝Ｎ３−Ｍ３
Ｎ４＞０
【００３５】
また、以下の理由により以下の長さ関係が生じる。
Ｌ２＞Ｌ３：ガイド部７１が摩擦により帯尺５１の出し入れを邪魔しないようにするためわずかな隙間が有る。すなわち、ガイド部７１の内側壁７５は、帯尺５１の幅方向の両側部５２より０．２ｍｍ〜１ｍｍ程度離れて配置されている。すなわち、Ｌ２はＬ３に０．４ｍｍを加算した長さより大きく、Ｌ３に２ｍｍを加算した長さより小さい。
【００３６】
Ｌ３＞Ｌ４：筆記用具が帯尺５１の下に入り込めるようにしている。Ｌ３≦Ｌ４であると筆記用具の先端が帯尺５１にあたってしまい、筆記用具により対象物にマークしにくい。
【００３７】
Ｍ３＞０：基部７２が下方向に存在することにより、基部７２を計測対象物にひっかけて計測することができる。すなわち基部７２の表面７３又は裏面７４を計測対象物に押し付けて計測できる。Ｍ３＝０の場合、すなわち、基部７２が存在しない場合は、計測対象物への引っかかりがなく計測できない。
【００３８】
Ｍ２≧Ｎ２：ガイド部７１が帯尺５１の出し入れをガイドするために、ガイド部７１は、帯尺５１の両端と同じ高さでよいが、Ｍ２＞Ｎ２ならば、帯尺５１がガイド部７１から外れにくくなる。
【００３９】
Ｎ４＝Ｎ３−Ｍ３：引き縁４２を指のひっかけ用フックとするために、Ｎ４＞０でなければならない。
【００４０】
図５は、帯尺５１と当て板７０を使用したマーキング方法を示す図である。
図５の（ａ）に示すように、当て板７０の表面７３に筆記用具を当て帯尺５１の下に、筆記用具の先端を潜り込ませて、その下にある対象物にマーキングをする。
【００４１】
同様に、図５の（ｂ）に示すように、Ｌ３＞Ｌ４なので、当て板７０の裏面７４に筆記用具を当て帯尺５１の下に筆記用具の先端を潜り込ませてその下にある対象物にマーキングをすることができる。
【００４２】
当接部８０の突出した長さＬは人間が目盛を読めるだけの空間および筆記用具でマーキングするための空間を提供するものであり、長さＬは２ｃｍ〜３ｃｍ有れば十分である。巻尺５０をコンパクトにするには、長さＬは小さいほうがよく、２ｃｍ有ればよい。
【００４３】
図６は、計測対象物９９の外寸計測時の巻尺５０の使用方法を示す図である。
ボタン５４で帯尺５１をリリースする。
計測対象物９９の一方の左外壁にフック板４０の裏面４４を当てる。
フック板４０の裏面４４をひっかけたまま、巻尺５０を後方に引き、出し入れ口５５から帯尺５１を引き出す。
計測対象物９９の他方の右外壁に当て板７０の表面７３を当てる。
ボタン５４で帯尺５１をロックする。
【００４４】
その後、当て板７０の表面７３の目盛を読む。又は、他の対象物に巻尺５０を移動させてフック板４０の裏面４４を他の対象物にひっかけ、他の対象物の表面の当て板７０の表面７３の位置に図５（ａ）のようにマーキングする。目盛を読むことなく計測対象物９９の外寸法を転写できる。
【００４５】
図７は、計測対象物９９の内寸計測時の巻尺５０の使用方法を示す図である。
ボタン５４で帯尺５１をリリースする。
計測対象物９９の一方の右内壁に当て板７０の裏面７４を当てる。
当て板７０の裏面７４を押し当てたまま、帯尺５１を引き出す。
計測対象物９９の他方の左内壁にフック板４０の表面４３を当てる。
ボタン５４で帯尺５１をロックする。
【００４６】
その後、当て板７０の裏面７４の目盛を読む。又は、他の対象物に巻尺５０を移動させてフック板４０の裏面４４を他の対象物にひっかけ、他の対象物の表面の当て板７０の裏面７４の位置に図５（ｂ）のようにマーキングする。目盛を読むことなく計測対象物９９の内寸法を転写できる。
【００４７】
図８は、計測対象物９９の内寸計測時の巻尺５０の使用方法を示す図である。
【００４８】
図８の（ａ）の説明
ボタン５４で帯尺５１をリリースする。
計測対象物９９の一方の右内壁に後方突出部６３の後方端面６４を当てる。
【００４９】
仮に計測対象物９９の内壁が点線のように傾斜していても、後方突出部６３が後方に突き出しているので、計測対象物９９の内壁に後方突出部６３の後方端面６４を当てることができる。後方突出部６３の後方への突き出し長さと巻尺５０の高さとを同じにすれば、θ≧４５度の傾斜角であれば計測対象物９９の内壁に後方突出部６３の後方端面６４を当てることができる。
【００５０】
帯尺５１を引き出す。
計測対象物９９の他方の左内壁にフック板４０の表面４３を当てる。
ボタン５４で帯尺５１をロックする。
他の対象物に巻尺５０を移動させてフック板４０の表面４３又は裏面４４を他の対象物にひっかけ、他の対象物の表面の後方突出部６３の後方端面６４の位置にマーキングする。目盛を読むことなく計測対象物９９の内寸法を転写できる。
【００５１】
図８の（ａ）の場合に、目盛を読んで計測対象物９９の寸法を計測したい場合は以下の３方法による。
【００５２】
１．寸法計測方法１（図８の（ｂ）の説明）
ボタン５４で帯尺５１をロックしてから、任意の作業平面に巻尺５０を移動させて後方突出部６３の後方端面６４の位置を作業平面の表面にマークする。
帯尺５１の引き出している部分を作業平面に押し付ける。
帯尺５１の引き出している部分を作業平面に押し付けたまま、巻尺５０をマーク位置をこえて、後方に引っ張る。帯尺５１が引き出される。
帯尺５１のマーク位置の目盛を読む。
【００５３】
２．寸法計測方法２
ボタン５４で帯尺５１をロックしてから、当て板７０の表面７３の目盛を読み、その目盛の値に、当接治具９０の長さを加算する。たとえば、当て板７０の表面７３から前方突出部６１の後方端面６４までの長さ（当接治具９０の長さ）を１０ｃｍにしておき、読んだ目盛の値に１０ｃｍを加算する。
【００５４】
３．寸法計測方法３
帯尺５１に当接治具９０の長さを加算した内寸用目盛をあらかじめ別途記載しておき、当接治具９０の長さをあらかじめ加算した内寸用目盛を読む。たとえば、帯尺５１の片側に通常の目盛を記載し、帯尺５１の反対側に通常の目盛に１０ｃｍ加算した内寸用目盛を記載しておけばよい。
【００５５】
図９は、後方突出部６３の使用方法を示す図である。
溝の深さを計測する場合は、後方突出部６３を使用する。
図のように、後方突出部６３を溝に挿入して後方端面６４が溝の底に当たった時、後方突出部６３の後方目盛６５を読めばよい。溝の隙間にフック板４０が入らない場合に、後方突出部６３を使用すればよい。
【００５６】
なお、巻尺ケース５３と当接治具９０とが別部品の場合を示したが、巻尺ケース５３と当接治具９０とが別部品でなく一つの部品であってもかまわない。その場合は、固定部６２が巻尺ケース５３の底板５６そのものとなり、巻尺ケース５３の前方に巻尺ケース５３を延長させた前方突出部６１と当て板７０が突出し、巻尺ケース５３の後方に巻尺ケース５３を延長させた後方突出部６３が突出することになる。すなわち、当て板７０と前方突出部６１と後方突出部６３とは巻尺ケース５３の一部となる。
【００５７】
以上のように、実施の形態１の巻尺５０は、
帯状の帯尺５１と、
帯尺５１と直交するように帯尺５１の先端に取り付けられたフック板４０と、
帯尺５１を巻き込んで収納するとともに、帯尺５１を出し入れする出し入れ口５５を有する巻尺ケース５３と、
出し入れ口５５から突出した当接部８０であり、帯尺５１が巻尺ケース５３に巻き戻された状態でフック板４０と当接し、帯尺５１が引き出された状態で、計測のために計測対象物９９に当接させる当接部８０と
を備えたことを特徴とする。
【００５８】
当接部８０は、略Ｔ型をしており、
当接部８０は、
出し入れ口５５から帯尺５１が出される引き出し方向に出し入れ口５５から突出した前方突出部６１と、
前方突出部６１と直交するように前方突出部６１の先端に設けられた当て板７０と
を備えたことを特徴とする。
【００５９】
当て板７０は、帯尺５１が巻き戻されてきた場合に、フック板４０と当接し、巻き戻しを終了させ、
フック板４０と当て板７０とが当接している場合に、フック板４０の少なくとも一部の縁は、当て板７０の端部からはみ出ていることを特徴とする。
【００６０】
帯尺５１は、帯尺５１の長手方向に直交する面による断面形状が弧状の湾曲形状を有し、
フック板４０は、帯尺５１の幅Ｌ４と略同一の幅Ｌ４を有し帯尺５１が取り付けられた取付縁４１と、取付縁４１に対向する引き縁４２を有する矩形状の板であり、
当て板７０は、
湾曲形状の帯尺５１をガイドする凹部を有する凹型板であり、
凹型板は、
帯尺５１の幅方向の両側部５２より離れて配置され、帯尺５１の側部５２をガイドする一対のガイド部７１と、
表面でフック板４０と当接してフック板４０の引き縁４２をはみ出させ、裏面で前方突出部６１を連結した基部７２と
を有することを特徴とする。
【００６１】
前記巻尺５０はさらに、
出し入れ口５５に帯尺５１が入れられる巻き戻し方向に、巻尺ケース５３の下部の底板５６の後方から突出した後方突出部６３を備えたことを特徴とする。
【００６２】
実施の形態２．
図１０は、実施の形態２の巻尺５０を示す図である。
図１１は、実施の形態２の当接治具９０を示す図である。
図１２は、実施の形態２の巻尺５０の一部を省略したＡＡ縦断面図である。
【００６３】
以下、実施の形態１と異なる点を説明する。
当接治具９０は、既存の市販されている巻尺に外付けされるものである。当接治具９０の固定部６２は巻尺ケース５３の底板５６に接着剤又は両面テープで固定される。
【００６４】
胴体６０には屈曲部６６が有る。屈曲部６６が底板５６の前方部分に来るように当接治具９０が取り付けられる。
【００６５】
屈曲部６６の屈折高さＤは、底板５６の底面から出し入れ口５５の下端までの段差Ｅ（底板５６の厚さＥ）と同じである。屈曲部６６は曲面又は斜面である。屈曲部６６により、前方突出部６１と固定部６２とが高さＤ（段差Ｅ）だけ離れた平行な平面になる。屈曲部６６が有ることにより、当接部８０の前方突出部６１が帯尺５１の直下に配置され、当接部８０が帯尺５１に対して図４とおなじ位置関係になる。
【００６６】
屈曲部６６は、曲面や斜面ではなく、前方突出部６１と固定部６２とに対して鉤状・クランク状・Ｌ字状に直角に折り曲がって階段状になっていてもよい。
段差Ｅが小さくて無視できるのであれば、屈曲部６６はなくてもよく、図２に示した胴体６０が平面の当接治具９０を外付けしてもよい。
【００６７】
以上のように、実施の形態２の当接治具９０は、巻尺５０に取り付けるものである。
巻尺５０は、帯状の帯尺５１と、帯尺５１と直交するように帯尺５１の先端に取り付けられたフック板４０と、帯尺５１を巻き込んで収納するとともに、帯尺５１を出し入れする出し入れ口５５を有する巻尺ケース５３とを有する。
【００６８】
当接治具９０は、
巻尺ケース５３に固定される固定部６２と、
出し入れ口５５から帯尺５１が出される引き出し方向に出し入れ口５５の下部から突出する前方突出部６１と、
前方突出部６１と直交するように前方突出部６１の先端に設けられた当て板７０と
を備えたことを特徴とする。
【００６９】
前記当接治具は、略Ｔ字型をしており、
固定部６２と前方突出部６１とは、１枚の板の一部であり、連続している。
【００７０】
前記１枚の板は、固定部６２と前方突出部６１との間に屈曲部６６を有する。
前記当接治具９０はさらに、出し入れ口５５に帯尺５１が入れられる巻き戻し方向に、巻尺ケース５３の下部後方から突出する後方突出部６３を備えている。
【００７１】
後方突出部６３と固定部６２と前方突出部６１とは、１枚の板の一部であり、連続している。
【００７２】
あるいは、図１０、図１１、図１２において、固定部６２と後方突出部６３との境界に回転軸Ｆを取付け、回転軸Ｆを中心にして水平方向（矢印Ｇ方向）に後方突出部６３を固定部６２に対して１８０度回転可能にあるいは３６０度回転可能に取り付けてもよい。後方突出部６３を使用しない場合に、後方突出部６３を固定部６２に重ねて底板５６の下におき、後方突出部６３を使用する場合に、後方突出部６３を固定部６２に対して水平方向に１８０度回転させて、後方突出部６３を巻尺ケース５３の後方に突出させて使用する。
【００７３】
あるいは、図１０、図１１、図１２において、固定部６２と後方突出部６３との境界に蝶番を取付け、蝶番の回転軸を中心にして上方向（矢印Ｈ方向）に後方突出部６３を固定部６２に対して９０度回転可能に取り付けてもよい。後方突出部６３を使用しない場合に、後方突出部６３を巻尺ケース５３の背板に沿わせておき、後方突出部６３を使用する場合に、後方突出部６３を矢印Ｈ方向とは逆方向に９０度回転させて、後方突出部６３を巻尺ケース５３の後方に突出させて使用する。
【００７４】
逆に、図１０、図１１、図１２において、固定部６２と後方突出部６３との境界に蝶番を取付け、蝶番の回転軸を中心にして下方向（矢印Ｉ方向）に後方突出部６３を固定部６２に対して１８０度回転可能に取り付けてもよい。後方突出部６３を使用しない場合に、後方突出部６３を固定部６２に重ねて底板５６の下におき、後方突出部６３を使用する場合に、後方突出部６３を固定部６２に対して矢印Ｉ方向とは逆に１８０度回転させて、後方突出部６３を巻尺ケース５３の後方に突出させて使用してもよい。
【００７５】
あるいは、図１０において、固定部６２と後方突出部６３との境界から、後方突出部６３を、固定部６２に対してスライド可能に取り付けて、後方突出部６３を使用しない場合に、後方突出部６３を固定部６２に重ねて底板５６の下におき、後方突出部６３を使用する場合に、後方突出部６３を固定部６２から後方にスライドさせて、後方突出部６３を巻尺ケース５３の後方に突出させて使用してもよい。
【００７６】
また、前方突出部６１を、固定部６２に対してスライド可能に取り付けて、当接部８０を使用する場合に、前方突出部６１を固定部６２から前方にスライドさせて、前方突出部６１を巻尺ケース５３の前方に突出させて使用してもよい。
【００７７】
実施の形態３．
以下、実施の形態１と異なる点を説明する。
図１３は、図１から後方突出部６３をなくしたものである。後方突出部６３はなくてもよい。
【００７８】
あるいは、図示しないが、後方突出部６３を、巻尺ケース５３の底板５６の上部あるいは底板５６の内部にスライド収納可能なようにして、後方突出部６３を使用する場合に、巻尺ケース５３から後方突出部６３をスライドさせて引き出して図１に示した状態にして後方突出部６３を使用してもよい。
【００７９】
また、図示しないが、前方突出部６１を、巻尺ケース５３の底板５６の上部あるいは底板５６の内部にスライド収納可能なようにして、当接部８０を使用する場合に、前方突出部６１を巻尺ケース５３から前方突出部６１をスライドさせて引き出して図１に示した状態にして前方突出部６１を使用してもよい。
【００８０】
実施の形態４．
以下、実施の形態２と異なる点を説明する。
図１４は、図１０、図１１から後方突出部６３をなくしたものである。後方突出部６３はなくてもよい。
【００８１】
あるいは、図１４において、固定部６２を巻尺ケース５３の底板５６に取付ける場合、固定部６２の中央を巻尺ケース５３の底板５６の中央に回転軸Ｆを用いて取り付けてもよい。固定部６２が水平方向（矢印Ｇ方向）に１８０度回転可能にあるいは３６０度回転可能になり、当接部８０が巻尺ケース５３の前後で使用できる。当接部８０を前方で使用する場合は、図１４のようにして使用し、当接部８０を後方で使用する場合に、前方突出部６１を固定部６２に対して水平方向（矢印Ｇ方向）に１８０度回転させて、当接部８０を巻尺ケース５３の後方に突出させて使用する。
【００８２】
実施の形態５．
前述した実施の形態では、前方突出部６１が存在していたが、図１５のように、前方突出部６１が存在せず、当て板７０が出し入れ口５５の下部から、あたかも、あご又はよだれかけのように下に突出して出し入れ口５５の下部に固定されていてもよい。前方突出部６１が存在しない場合は、当て板７０の裏面７４による目盛の読み取りがしにくくなり、また、当て板７０の裏面７４による筆記用具によるマーキングがしにくくなるが、当て板７０の表面７３による目盛の読み取りや筆記用具によるマーキングには支障がない。
このように、当て板７０は、出し入れ口５５とフック板４０との間にあればよい。
【００８３】
実施の形態６．
前述した実施の形態では、引き出し方向（巻き戻し方向）からみた当て板７０の形状を凹形にしたが、図１６のように、当て板７０の形状を、中央に帯尺５１が貫通する貫通窓を有する窓枠形や額縁形にしてもよい。あるいは、当て板７０の形状を、貫通窓を有するＤ字形やＯ字形やリング形にしてもよい。貫通窓を帯尺５１が通過する場合は、帯尺５１が当て板７０から外れることがない。
【００８４】
あるいは、図１７のように、引き出し方向（巻き戻し方向）からみた当て板７０の形状を、Ｃ字形やＵ字形にしてもよい。
【００８５】
あるいは、図１８のように、引き出し方向（巻き戻し方向）からみた当て板７０の形状を、Ｈ字形にしてもよい。
【００８６】
前述した実施の形態では、当て板７０の両側にガイド部７１が有る場合を示したが、片側だけでもよい。
【００８７】
あるいは、図１９のように、ガイド部７１は両方なくてもよい。ガイド部７１がない場合は、当接治具９０は端に１枚の矩形平板の先端をフック板４０と同じ方向（下方向）に９０度曲げた鉤型（断面形状がＬ字形）の当接治具９０になる。図１９の場合は、Ｌ１＞Ｌ２であるが、Ｌ１≦Ｌ２でもかまわない。
【００８８】
前述した実施の形態では、胴体６０が平板の場合を示したが、図１９のように、胴体６０が帯尺５１の湾曲面に沿うように前方突出部６１の断面形状が湾曲していてもよい。あるいは、胴体６０が棒状でもよい。
【００８９】
前方突出部６１は、帯尺５１の引き出し（巻き戻し）の邪魔にならないように帯尺５１の引き出し方向（巻き戻し方向）に突出していればよい。
【００９０】
前方突出部６１と後方突出部６３とは、互いに別個な形状で良く、平板、湾曲板、棒状あるいはその他の形状のいずれかでよい。前方突出部６１と後方突出部６３とは、幅Ｌ４が途中で変化してもよい。
【００９１】
前述した実施の形態では、当接部８０の前方突出部６１と当て板７０とが帯尺５１の湾曲凸面側に有る場合を示したが、図２０のように、弧状の湾曲凹面側に有る場合でもかまわない。その場合は、前方突出部６１は、出し入れ口５５の上部から前方に突出させる。
【００９２】
また、前述した実施の形態では、弧状の湾曲凸面が巻尺ケース５３の底板５６側に有る場合を示したが、弧状の湾曲凹面が巻尺ケース５３の底板５６側に有る場合でもかまわない。
【００９３】
前述した実施の形態では、自動巻き取り式巻尺の場合を示したが手動巻き取り式巻尺の場合でもかまわない。
【００９４】
前述した実施の形態では、鋼製尺の場合を示したがその他の金属製尺でもよいし、樹脂製尺、布製尺、竹製尺、紙製尺、カーボン製尺でもかまわない。
【００９５】
前述した実施の形態では、断面が弧状に湾曲している場合を示したが、湾曲していなくてもよく、平板でもかまわない。
【００９６】
前述した実施の形態では、弧状の湾曲凹面に目盛と数字が有る場合を示したが、弧状の湾曲凸面に目盛と数字が有る場合でもかまわない。弧状の湾曲凹面と湾曲凸面の両方に目盛と数字が有る場合でもかまわない。また、数字はなくてもよく、目盛だけでもよい。また、目盛は、１ｍｍの等間隔なものでなくてもよく、さらに、目盛は、基準位置や比較位置を示すマークや印だけでもかまわない。
【００９７】
前述した各実施の形態を組み合わせてもかまわないし、前述した実施の形態の各部を組み合わせてもかまわない。
【符号の説明】
【００９８】
４０  フック板、４１  取付縁、４２  引き縁、４３  表面、４４  裏面、５０  巻尺、５１  帯尺、５２  側部、５３  巻尺ケース、５４  ボタン、５５  出し入れ口、５６  底板、６０  胴体、６１  前方突出部、６２  固定部、６３  後方突出部、６４  後方端面、６５  後方目盛、６６  屈曲部、７０  当て板、７１  ガイド部、７２  基部、７３  表面、７４  裏面、７５  内側壁、８０  当接部、９０  当接治具、９９  計測対象物。
【図１】
2013122409.tif 000003
【図２】
2013122409.tif 000004
【図３】
2013122409.tif 000005
【図４】
2013122409.tif 000006
【図５】
2013122409.tif 000007
【図６】
2013122409.tif 000008
【図７】
2013122409.tif 000009
【図８】
2013122409.tif 000010
【図９】
2013122409.tif 000011
【図１０】
2013122409.tif 000012
【図１１】
2013122409.tif 000013
【図１２】
2013122409.tif 000014
【図１３】
2013122409.tif 000015
【図１４】
2013122409.tif 000016
【図１５】
2013122409.tif 000017
【図１６】
2013122409.tif 000018
【図１７】
2013122409.tif 000019
【図１８】
2013122409.tif 000020
【図１９】
2013122409.tif 000021
【図２０】
2013122409.tif 000022
【手続補正書】
【提出日】平成24年2月21日(2012.2.21)
【手続補正１】
【補正対象書類名】特許請求の範囲
【補正対象項目名】全文
【補正方法】変更
【補正の内容】
【特許請求の範囲】
【請求項１】
帯状の帯尺と、
帯尺の先端に取り付けられたフック板と、
帯尺を巻き込んで収納するとともに、帯尺を出し入れする出し入れ口を有する巻尺ケースと、
出し入れ口とフック板との間にあり、帯尺が巻尺ケースに巻き戻された状態でフック板と当接し、帯尺が引き出された状態で、計測のために計測対象物に当接する当接部と
を備え、
当接部は、略Ｔ型をしており、
当接部は、
出し入れ口から帯尺が出される引き出し方向に出し入れ口から突出した前方突出部と、
前方突出部と直交するように前方突出部の先端に設けられた当て板と
を備え、
帯尺は、長手方向に直交する断面形状が弧状の湾曲形状を有し、
フック板は、帯尺の幅と略同一の幅を有し帯尺が取り付けられた取付縁と、取付縁に対向する引き縁を有する矩形状の板であり、
当て板は、
湾曲形状の帯尺をガイドする凹部を有する凹型板であり、
凹型板は、
帯尺の幅方向の両側部より離れて配置され、帯尺の側部をガイドする一対のガイド部と、
表面でフック板と当接してフック板の引き縁をはみ出させ、裏面で前方突出部を連結した基部と
を有することを特徴とする巻尺。
【請求項２】
帯状の帯尺と、
帯尺の先端に取り付けられたフック板と、
帯尺を巻き込んで収納するとともに、帯尺を出し入れする出し入れ口を有する巻尺ケースと、
出し入れ口とフック板との間にあり、帯尺が巻尺ケースに巻き戻された状態でフック板と当接し、帯尺が引き出された状態で、計測のために計測対象物に当接する当接部と
を備え、
当接部は、
出し入れ口から帯尺が出される引き出し方向に出し入れ口から突出した前方突出部と、
前方突出部と直交するように前方突出部の先端に設けられた当て板と
を備え、
当て板は、
帯尺をガイドする凹部を有する凹型板であり、
凹型板は、
帯尺の幅方向の両側部より離れて配置され、帯尺の側部をガイドする一対のガイド部と、
表面でフック板と当接して、裏面で前方突出部を連結した基部と
を有することを特徴とする巻尺。
【請求項３】
帯状の帯尺と、
帯尺の先端に取り付けられたフック板と、
帯尺を巻き込んで収納するとともに、帯尺を出し入れする出し入れ口を有する巻尺ケースと、
出し入れ口から帯尺が出される引き出し方向に出し入れ口から突出した前方突出部と、
前方突出部と直交するように前方突出部の先端に設けられた当て板と
を備え、
当て板は、
帯尺の幅方向の両側部より離れて配置され、帯尺の側部をガイドする一対のガイド部と、
表面でフック板と当接して、裏面で前方突出部を連結した基部と
を有することを特徴とする巻尺。
【請求項４】
当て板は、帯尺が巻き戻されてきた場合に、フック板と当接し、巻き戻しを終了させ、
フック板と当て板とが当接している場合に、フック板の少なくとも一部の縁は、当て板の端部からはみ出ていることを特徴とする請求項１〜３いずれかに記載の巻尺。
【請求項５】
前記巻尺はさらに、
出し入れ口に帯尺が入れられる巻き戻し方向に、巻尺ケースの後方から突出した後方突出部を備え、後方突出部は、目盛が記載されていることを特徴とする請求項１〜４いずれかに記載の巻尺。
【請求項６】
帯状の帯尺と、帯尺と直交するように帯尺の先端に取り付けられたフック板と、帯尺を巻き込んで収納するとともに帯尺を出し入れする出し入れ口を有する巻尺ケースとを有する巻尺に取り付ける当接治具であって、
巻尺ケースに固定される固定部と、
出し入れ口から帯尺が出される引き出し方向に出し入れ口の下部から突出する前方突出部と、
前方突出部と直交するように前方突出部の先端に設けられた当て板と
を備え、
当て板は、
帯尺をガイドする凹部を有する凹型板であり、
凹型板は、
帯尺の幅方向の両側部より離れて配置され、帯尺の側部をガイドする一対のガイド部と、
表面でフック板と当接し、裏面で前方突出部を連結した基部と
を有することを特徴とする当接治具。
【請求項７】
帯状の帯尺と、帯尺と直交するように帯尺の先端に取り付けられたフック板と、帯尺を巻き込んで収納するとともに帯尺を出し入れする出し入れ口を有する巻尺ケースとを有する巻尺に取り付ける当接治具であって、
巻尺ケースに固定される固定部と、
出し入れ口から帯尺が出される引き出し方向に出し入れ口の下部から突出する前方突出部と、
前方突出部と直交するように前方突出部の先端に設けられた当て板と
を備え、
当て板は、
帯尺の幅方向の両側部より離れて配置され、帯尺の側部をガイドする一対のガイド部と、
表面でフック板と当接し、裏面で前方突出部を連結した基部と
を有することを特徴とする当接治具。
【請求項８】
前記当接治具は、略Ｔ字型をしており、
固定部と前方突出部とは、１枚の板の一部であり、連続しており、
前記１枚の板は、固定部と前方突出部との間に屈曲部を有していることを特徴とする請求項６又は７記載の当接治具。
【請求項９】
前記屈曲部の屈折高さＤは、巻尺の底面から出し入れ口の下端までの段差Ｅと同じ高さであることを特徴とする請求項８記載の当接治具。
【請求項１０】
前記当接治具はさらに、
出し入れ口に帯尺が入れられる巻き戻し方向に、巻尺ケースの下部後方から突出する後方突出部を備え、後方突出部と固定部と前方突出部とは、１枚の板の一部であり、連続していることを特徴とする請求項６〜９いずれかに記載の当接治具。